(57)【要約】【課題】バックライトの輝度を映像信号の特徴に応じて制御する液晶テレビおよびディスプレイにおいて、暗い画面から明るい画面に急激に変化する際はバックライトの制御を抑圧する。【解決手段】本発明のバックライト制御装置は、入力信号を液晶パネルに駆動するために各種信号処理を行う映像信号処理回路と、前記映像信号の特徴量を検出する特徴検出回路と、前記特徴検出回路の検出結果からバックライト制御値を算出する演算回路と、前記バックライト制御値をもとに液晶パネルのランプを駆動するインバータ回路と、液晶パネル及びランプから構成される液晶モジュールとを備え、特徴検出は平均輝度の変化と白色高輝度の画面領域比率から判断する。【選択図】図１
2006078832.tif 000002
【特許請求の範囲】
【請求項１】
バックライトの輝度を映像信号の特徴に応じて制御する液晶テレビおよびディスプレイにおいて、暗い画面から明るい画面に急激に変化する際はバックライトの制御を抑圧するバックライト制御装置。
【請求項２】
暗い画面から明るい画面に急激に変化することを平均輝度の変化と白色高輝度の画面領域比率から判断する請求項１に記載のバックライト制御装置。
【請求項３】
入力信号を液晶パネルに駆動するために各種信号処理を行う映像信号処理回路と、前記映像信号の特徴量を検出する特徴検出回路と、前記特徴検出回路の検出結果からバックライト制御値を算出する演算回路と、前記バックライト制御値をもとに液晶パネルのランプを駆動するインバータ回路と、液晶パネル及びランプから構成される液晶モジュールとを備え、特徴検出は平均輝度の変化と白色高輝度の画面領域比率から判断することを特徴とするバックライト制御装置。
【請求項４】
特徴検出回路の検出結果からバックライト制御値を算出する演算回路はマイクロプロセッサからなる請求項３のバックライト制御装置。
【発明の詳細な説明】
【技術分野】
【０００１】
本発明は液晶テレビ、液晶ディスプレイ等のバックライト用インバータを制御するバックライト制御に関するものである。
【背景技術】
【０００２】
近年、液晶テレビや液晶ディスプレイ等の液晶を用いた映像機器は映像信号の特徴量を検出し、その検出結果に応じて信号のダイナミックレンジやガンマ補正、また液晶のバックライト輝度を制御し、画質を最大限に向上させる取り組みがなされている（例えば、特許文献１参照）。
【特許文献１】特開２００２−１０８３０５号公報
【発明の開示】
【発明が解決しようとする課題】
【０００３】
しかし、昨今の液晶パネルの性能向上、特に高輝度化の進展は著しく、前記バックライト制御技術の向上と合わせて、十分従来のブラウン管テレビに匹敵する明るさを実現できるようになってきた。しかし、暗い画面から明るい画面にシーンが切り替わる際には、逆に眩しすぎるという課題がある。
【課題を解決するための手段】
【０００４】
上記課題を解決するために本発明のバックライト制御装置は、バックライトの輝度を映像信号の特徴に応じて制御する液晶テレビおよびディスプレイにおいて、暗い画面から明るい画面に急激に変化する際はバックライトの制御を抑圧することを特徴とするものである。
【０００５】
本発明の請求項１に記載の発明は、バックライトの輝度を映像信号の特徴に応じて制御する液晶テレビおよびディスプレイにおいて、画面から明るい画面に急激に変化する際はバックライトの制御を抑圧することで、眩しすぎることを防ぐ作用を有することを特徴とする。
【０００６】
請求項２に記載の発明は、暗い画面から明るい画面に急激に変化することを平均輝度の変化と白色高輝度の画面領域比率から判断することで、眩しすぎることを防ぐ作用を有することを特徴とする。
【０００７】
請求項３に記載の発明は、入力信号を液晶パネルに駆動するために各種信号処理を行う映像信号処理回路と、前記映像信号の特徴量を検出する特徴検出回路と、前記特徴検出回路の検出結果からバックライト制御値を算出する演算回路と、前記バックライト制御値をもとに液晶パネルのランプを駆動するインバータ回路と、液晶パネル及びランプから構成される液晶モジュールとを備え、特徴検出は平均輝度の変化と白色高輝度の画面領域比率から判断することを特徴とする。
【０００８】
請求項４記載の発明は、特徴検出回路の検出結果からバックライト制御値を算出する演算回路はマイクロプロセッサ（マイコン）からなることを特徴とする。
【発明の効果】
【０００９】
以上のように本発明によれば、バックライトの輝度を映像信号の特徴に応じて制御する液晶テレビおよびディスプレイにおいて、暗い画面から明るい画面に急激に変化する際はバックライトの制御を抑圧することで、眩し過ぎるシーンを抑圧しより自然な画像を表示することが可能となる。
【発明を実施するための最良の形態】
【００１０】
（実施の形態１）
図１は本発明のバックライト制御装置の構成図の一例であり、図２は暗い画面から明るい画面に急激に変化する際の制御方法の一例を示した図であり、図３はその時の制御特性、図４は従来のバックライト制御の制御特性を示した図である。
【００１１】
図１において、１は映像信号処理回路、２は特徴検出回路、３は演算回路、４はインバータ回路、５は液晶モジュールである。また図２において、１０は平均輝度検出回路、１１は第１のＶラッチ、１２は差分回路、１３は白面積検出回路、１４は第２のＶラッチ、１５は制御値算出回路である。
【００１２】
以下に具体的な動作を説明する。
【００１３】
入力映像信号は映像信号処理回路１にて液晶パネルを駆動する信号に変換され液晶モジュール５に供給される。また入力映像信号は特徴検出回路２に入力されて、平均輝度レベル（ＡＰＬ）の変化や白面積の割合などを検出し、演算回路３へ出力される。演算回路３では特徴検出回路２で検出されたＡＰＬの変化や白面積の割合から暗い画面から明るい画面に急激に変化するシーンを検出し、バックライトの制御値を計算する。例えば図２で示すようにＡＰＬの変化を差分回路１１によりＡＰＬ検出回路１０で検出されたＡＰＬと前のフレームのＡＰＬとの差分を求め、白面積検出回路１３で求められた白面積の割合と総合的に判断して図３に示すようなバックライトの制御値を計算する。
【００１４】
求められたバックライト制御値はインバータ回路４を制御するのに用いられ、最終的に液晶モジュール５のランプの明るさを制御することとなる。以上により暗い画面から明るい画面に急激に変化するシーンを検出しバックライトの制御を抑圧することで、眩し過ぎるシーンを抑圧しより自然な画像を表示することができる。
【産業上の利用可能性】
【００１５】
本発明にかかるバックライト制御装置は、暗い画面から明るい画面に急激に変化する際はバックライトの制御を抑圧する作用を有するバックライト制御装置を提供するものであり、液晶テレビ、液晶ディスプレイ等において有用である。
【図面の簡単な説明】
【００１６】
【図１】本発明のバックライト制御装置の構成図の一例を示した図
【図２】本発明のバックライト制御装置による暗い画面から明るい画面に急激に変化する際の制御方法の一例を示した図
【図３】本発明のバックライト制御装置の制御特性の一例を示すグラフ
【図４】従来のバックライト制御装置の制御特性の一例を示すグラフ
【符号の説明】
【００１７】
１    映像信号処理回路
２    特徴検出回路
３    演算回路
４    インバータ回路
５    液晶モジュール
１０    平均輝度検出回路
１１    Ｖラッチ１
１２    差分回路
１３    白面積検出回路
１４    Ｖラッチ２
１５    制御値算出回路
【図１】
2006078832.tif 000003
【図２】
2006078832.tif 000004
【図３】
2006078832.tif 000005
【図４】
2006078832.tif 000006